(57)【要約】【課題】パネル工法によって構築されたスキップフロアを有する建物において、簡単な構造でありながら十分な強度が得られる建物を提供する。【解決手段】床パネル１１〜１４、壁パネル２，２ａ〜２ｃ，３ｅ〜３ｈ，４１〜４３、屋根パネル５を互いに組み付けるパネル工法によって構築された、スキップフロア１１を有する建物１Ｂにおいて、スキップフロア１１の平面領域とその他の平面領域との境界線Ｌ上に、この境界線Ｌの両側に位置するスキップフロア１１及びその他の床１２の辺縁を支持するように耐力壁２０Ｂを配置すると共に、境界線Ｌの両端部に、基礎６から屋根５まで上下方向に控壁３０Ｋをこの境界線Ｌとほぼ直交するように配置する。【選択図】  図２
2004332440.tif 000002
【特許請求の範囲】
【請求項１】
床パネル、壁パネル、屋根パネルを互いに組み付けるパネル工法によって構築された、スキップフロアを有する建物であって、
前記スキップフロアの平面領域とその他の平面領域との境界線上に、この境界線の両側に位置する前記床パネルから構成されたスキップフロア及びその他の床の辺縁を支持するように、前記壁パネルから構成された耐力壁が配置されていると共に、
前記境界線の両端部に、基礎から屋根まで上下方向に前記壁パネルから構成された控壁がこの境界線とほぼ直交するように配置されていること
を特徴とする建物。
【請求項２】
床パネル、壁パネル、屋根パネルを互いに組み付けるパネル工法によって構築された、スキップフロアを有する建物であって、
前記スキップフロアの平面領域とその他の平面領域との境界線の両端部に、基礎から屋根まで上下方向に前記壁パネルから構成された控壁がこの境界線とほぼ直交するように配置されていると共に、
前記境界線の少なくとも一方の端部に、前記控壁がこの境界線の延長線上に突出するように配置されていること
を特徴とする建物。
【請求項３】
前記境界線の中間部に、前記控壁がこの境界線とほぼ直交するように配置されていること
を特徴とする請求項１又は２に記載の建物。
【請求項４】
前記境界線とほぼ直交するように配置された前記控壁は、この境界線の片側に位置するように配置されていること
を特徴とする請求項１〜３のいずれか一項に記載の建物。
【請求項５】
前記境界線とほぼ直交するように配置された前記控壁は、この境界線を跨いで両側に位置するように配置されていること
を特徴とする請求項１〜４のいずれか一項に記載の建物。
【発明の詳細な説明】
【０００１】
【発明の属する技術分野】
本発明は、スキップフロアを有する建物に関する。
【０００２】
【背景の技術】
建物の各階とは異なる高さに、中二階等のスキップフロアを有する建物を構築することがある。この種の建物では、一階、二階等各階の床とスキップフロア部分の床とが同一平面上にないため、地震時や強風時に、スキップフロアの平面領域とその他の平面領域との境界線上の壁にせん断力がかかる。このため、従来、スキップフロアの平面領域とその他の床の平面領域との境界線上の壁の厚さを増すなどして、建物に十分な強度を備える必要がある。
【０００３】
このような、スキップフロアを有する建物の構造として、例えば特許文献１に示された技術がある。
【０００４】
【特許文献１】
特開平９−４１４８０号公報
【０００５】
【発明が解決しようとする課題】
特許文献１に記載の技術では、軸組構造の建物においてスキップフロアを設ける場合に、建物の本体部分とスキップフロア部分との間でせん断力の伝達を円滑にするために、伝達フレームを備えている。
しかし、平板状のパネルを組み合わせて構築されるパネル工法の建物においてスキップフロアを備える場合には、特許文献１に記載の軸組構造の建物と構造形式が異なるため、その技術をそのまま適用することができない。そこで、例えば図１２に示すように、境界線Ｌ上に、耐力壁１０２ａ〜１０２ｄを二重に重ねるように備えることで、スキップフロア１１の辺縁を耐力壁１０２ａ，１０２ｂによって、またその他の床１２の辺縁を耐力壁１０２ｃ，１０２ｄによって、それぞれ確実に支持させると共に、スキップフロア１１とその他の床１２との間の水平動を抑え、建物１０１に十分な強度を備えるようにしていた。
しかし、これによると、境界線Ｌ上において壁の芯が建物の通り芯からずれるため、基準寸法（モジュール）に則って生産された規格品の壁パネルをそのまま利用することができない、等の問題が生じ、建物を構築するのに要する費用が高くなる問題があった。
【０００６】
本発明の課題は、パネル工法によって構築されたスキップフロアを有する建物において、簡単な構造でありながら十分な強度が得られる建物を提供することである。
【０００７】
【課題を解決するための手段】
以上の課題を解決するため、請求項１記載の発明は、例えば図１〜図６、図８〜図１１に示すように、床パネル１１〜１４、壁パネル２，２ａ〜２ｃ，３ａ〜３ｊ，（屋切パネル）４１〜４３、屋根パネル５を互いに組み付けるパネル工法によって構築された、スキップフロア１１を有する建物（住宅）１Ａ〜１Ｃであって、
前記スキップフロア１１の平面領域とその他の平面領域との境界線Ｌ（ＬＡ，ＬＢ，ＬＤ〜ＬＧ）上に、この境界線Ｌ（ＬＡ，ＬＢ，ＬＤ〜ＬＧ）の両側に位置する前記床パネルから構成されたスキップフロア１１及びその他の床１２の辺縁を支持するように前記壁パネル２ａ〜２ｃから構成された耐力壁２０Ａ，２０Ｂ（２１Ａ，２１Ｂ，２１Ｄ〜２１Ｇ，２２Ｄ，２２Ｆ，２２Ｇ，２３Ｇ）が配置されていると共に、
前記境界線Ｌ（ＬＡ，ＬＢ，ＬＤ〜ＬＧ）の両端部に、基礎６から屋根（屋根パネル）５まで上下方向に前記壁パネル３ａ〜３ｊ，４１〜４３から構成された控壁３０Ａ〜３０Ｎ（３１Ａ，３１Ｂ，３１Ｄ〜３１Ｇ，３２Ａ，３２Ｂ，３２Ｄ〜３２Ｇ）がこの境界線Ｌ（ＬＡ，ＬＢ，ＬＤ〜ＬＧ）とほぼ直交するように配置されていること
を特徴とする。
【０００８】
請求項１記載の発明によれば、境界線Ｌ（ＬＡ，ＬＢ，ＬＤ〜ＬＧ）上に、スキップフロア１１及びその他の床１２の辺縁を支持するように、耐力壁２０Ａ，２０Ｂ（２１Ａ，２１Ｂ，２１Ｄ〜２１Ｇ，２２Ｄ，２２Ｆ，２２Ｇ，２３Ｇ）が配置されていると共に、境界線Ｌ（ＬＡ，ＬＢ，ＬＤ〜ＬＧ）の両端部に、基礎６から屋根（屋根パネル）５まで上下方向に控壁３０Ａ〜３０Ｎ（３１Ａ，３１Ｂ，３１Ｄ〜３１Ｇ，３２Ａ，３２Ｂ，３２Ｄ〜３２Ｇ）がこの境界線Ｌ（ＬＡ，ＬＢ，ＬＤ〜ＬＧ）とほぼ直交するように配置されているので、地震時や強風時に生じるスキップフロア１１とその他の床１２との間の二方向の水平動が、控壁３０Ａ〜３０Ｎ（３１Ａ，３１Ｂ，３１Ｄ〜３１Ｇ，３２Ａ，３２Ｂ，３２Ｄ〜３２Ｇ）及び耐力壁２０Ａ，２０Ｂ（２１Ａ，２１Ｂ，２１Ｄ〜２１Ｇ，２２Ｄ，２２Ｆ，２２Ｇ，２３Ｇ）によって抑制される。
つまり、境界線Ｌ（ＬＡ，ＬＢ，ＬＤ〜ＬＧ）上において、スキップフロア１１とその他の床１２とをそれぞれ支持するように壁パネルを二重に重ねて配置せずに、一重の壁パネルでスキップフロア１１及びその他の床１２の双方を支持させて、控壁３０Ａ〜３０Ｎ（３１Ａ，３１Ｂ，３１Ｄ〜３１Ｇ，３２Ａ，３２Ｂ，３２Ｄ〜３２Ｇ）及び耐力壁２０Ａ，２０Ｂ（２１Ａ，２１Ｂ，２１Ｄ〜２１Ｇ，２２Ｄ，２２Ｆ，２２Ｇ，２３Ｇ）により、スキップフロア１１とその他の床１２との間に必要なせん断強度・剛性が十分に確保される。
これにより、境界線上で壁パネルを二重に配置する場合のように壁パネルの芯のズレが発生せず、基礎の形状を特殊なものとする必要も無くなる。したがって、基準寸法（モジュール）に則って生産された規格品の壁パネルを利用して建物の設計を比較的自由に行うことができ、建物の構築に要する費用を小さく抑えることができる。
【０００９】
請求項２記載の発明は、例えば図１、図２，図４、図７に示すように、床パネル１１〜１４、壁パネル２，２ａ〜２ｃ，３ａ〜３ｊ，（屋切パネル）４１〜４３、屋根パネル５を互いに組み付けるパネル工法によって構築された、スキップフロア１１を有する建物（住宅）１Ａ〜１Ｃであって、
前記スキップフロア１１の平面領域とその他の平面領域との境界線Ｌ（ＬＣ）の両端部に、基礎６から屋根（屋根パネル）５まで上下方向に前記壁パネル３ａ〜３ｊ，４１〜４３から構成された控壁３０Ａ〜３０Ｎ（３１Ｃ，３２Ｃ）がこの境界線Ｌ（ＬＣ）とほぼ直交するように配置されていると共に、
前記境界線Ｌ（ＬＣ）の少なくとも一方の端部に、前記控壁３３Ｃがこの境界線Ｌ（ＬＣ）の延長線上に突出するように配置されていること
を特徴とする。
【００１０】
請求項２記載の発明によれば、境界線Ｌ（ＬＣ）の両端部に、基礎６から屋根（屋根パネル）５まで上下方向に控壁３０Ａ〜３０Ｎ（３１Ｃ，３２Ｃ）がこの境界線Ｌ（ＬＣ）とほぼ直交するように配置されていると共に、境界線Ｌ（ＬＣ）の少なくとも一方の端部に、控壁３３Ｃがこの境界線Ｌ（ＬＣ）の延長線上に突出するように配置されているので、地震時や強風時に生じるスキップフロア１１とその他の床１２との間の二方向の水平動が、控壁３０Ａ〜３０Ｎ（３１Ｃ，３２Ｃ）及び３３Ｃによって抑制される。
つまり、境界線Ｌ（ＬＣ）上において、スキップフロア１１とその他の床１２とをそれぞれ支持するように壁パネルを二重に重ねて配置せずに、一重の壁パネルでスキップフロア１１及びその他の床１２の双方を支持させて、控壁３０Ａ〜３０Ｎ（３１Ｃ，３２Ｃ）及び３３Ｃにより、スキップフロア１１とその他の床１２との間に必要なせん断強度・剛性が十分に確保される。
これにより、境界線上で壁パネルを二重に配置する場合のように壁パネルの芯のズレが発生せず、基礎の形状を特殊なものとする必要も無くなる。したがって、基準寸法（モジュール）に則って生産された規格品の壁パネルを利用して建物の設計を比較的自由に行うことができ、建物の構築に要する費用を小さく抑えることができる。
【００１１】
請求項３記載の発明は、例えば図１〜図４、図６に示すように、請求項１又は２に記載の建物１Ａ〜１Ｃにおいて、
前記境界線Ｌ（ＬＢ）の中間部に、前記控壁３３Ｂがこの境界線Ｌ（ＬＢ）とほぼ直交するように配置されていること
を特徴とする。
【００１２】
請求項３記載の発明によれば、請求項１又は２に記載の発明と同様の効果が得られると共に、境界線Ｌ（ＬＢ）の中間部に、控壁３３Ｂがこの境界線Ｌ（ＬＢ）とほぼ直交するように配置されているので、境界線Ｌ（ＬＢ）の長さが長い場合であっても、地震時や強風時に生じるスキップフロア１１とその他の床１２との間の二方向の水平動が、控壁３０Ａ〜３０Ｎ（３１Ｂ〜３３Ｂ）によって確実に抑制される。
【００１３】
請求項４記載の発明は、例えば図１、図４〜図１１に示すように、請求項１〜３のいずれか一項に記載の建物１Ａ〜１Ｃにおいて、
前記境界線Ｌ（ＬＡ〜ＬＧ）とほぼ直交するように配置された前記控壁３０Ａ，３０Ｂ，３０Ｇ，３０Ｊ（３１Ａ〜３１Ｇ，３２Ａ〜３２Ｇ，３３Ｂ）は、この境界線Ｌ（ＬＡ〜ＬＧ）の片側に位置するように配置されていること
を特徴とする。
【００１４】
請求項４記載の発明によれば、請求項１〜３のいずれか一項に記載の発明と同様の効果が得られると共に、境界線Ｌ（ＬＡ〜ＬＧ）とほぼ直交するように配置された控壁３０Ａ，３０Ｂ，３０Ｇ，３０Ｊ（３１Ａ〜３１Ｇ，３２Ａ〜３２Ｇ，３３Ｂ）は、この境界線Ｌ（ＬＡ〜ＬＧ）の片側に位置するように配置されているので、この控壁３０Ａ，３０Ｂ，３０Ｇ，３０Ｊ（３１Ａ〜３１Ｇ，３２Ａ〜３２Ｇ，３３Ｂ）の境界線Ｌ（ＬＡ〜ＬＧ）を挟んだ反対側においては、控壁３０Ａ，３０Ｂ，３０Ｇ，３０Ｊ（３１Ａ〜３１Ｇ，３２Ａ〜３２Ｇ，３３Ｂ）の位置の影響を受けずにプランニングを行うことができる。
【００１５】
請求項５記載の発明は、例えば図２、図４に示すように、請求項１〜４のいずれか一項に記載の建物１Ａ〜１Ｃにおいて、
前記境界線Ｌとほぼ直交するように配置された前記控壁３０Ｃ〜３０Ｆ，３０Ｈ，３０Ｉ，３０Ｋ〜３０Ｎ（３１Ａ〜３１Ｇ，３２Ａ〜３２Ｇ，３３Ｂ）は、この境界線Ｌを跨いで両側に位置するように配置されていること
を特徴とする。
【００１６】
請求項５記載の発明によれば、請求項１〜４のいずれか一項に記載の発明と同様の効果が得られると共に、境界線Ｌとほぼ直交するように配置された控壁３０Ｃ〜３０Ｆ，３０Ｈ，３０Ｉ，３０Ｋ〜３０Ｎ（３１Ａ〜３１Ｇ，３２Ａ〜３２Ｇ，３３Ｂ）は、この境界線Ｌを跨いで両側に位置するように配置されているので、境界線Ｌの両側に位置するスキップフロア１１とその他の床１２との双方側に控壁３０Ｃ〜３０Ｆ，３０Ｈ，３０Ｉ，３０Ｋ〜３０Ｎ（３１Ａ〜３１Ｇ，３２Ａ〜３２Ｇ，３３Ｂ）が配置され、建物１Ａ〜１Ｃのスキップフロア１１側とその他の床１２側の強度・剛性の差を小さくし偏心の少ない建物とすることができる。
【００１７】
【発明の実施の形態】
以下、図面を参照しながら、本発明に係る建物の実施の形態について説明する。
本実施の形態に記載の建物１Ａ〜１Ｃは、枠体の内部に補強桟材を組み付けた上、その両面又は片面に面材を貼り付けて構成された床パネル１１〜１４、壁パネル２，２ａ〜２ｃ，３ａ〜３ｊ，屋切パネル（壁パネル）４１〜４３、屋根パネル５を互いに組み付ける、パネル工法によって構築された木造住宅である。
各建物１Ａ〜１Ｃは、図１、図２に示すように、一階の床１３，１４、二階の床１１、スキップフロア１２を備えた二階建ての建物であり、その平面は、１Ｍ（モジュール）＝９１０ｍｍの基準寸法に則って計画されている。
【００１８】
図３、図４に、本実施の形態の各建物１Ａ〜１Ｃの概略を示す。また、図５〜図１１に、本実施の形態の各建物１Ａ〜１Ｃの平面のバリエーションを示す。
建物１Ａでは、図３（ａ）に示すように、建物全体が一つの屋根で覆われている。建物１Ｂ，１Ｃでは、図３（ｂ）に示すように、スキップフロア１１の平面領域が下屋形式の屋根で覆われ、その他の平面領域が通常の屋根で覆われている。建物１Ｂの下屋（すなわちスキップフロア１１）の奥行きは２Ｍ未満であり、建物１Ｃの下屋（スキップフロア１１）の奥行きは２Ｍ以上である。
【００１９】
図１〜図１１に示すように、建物１Ａ〜１Ｃには、スキップフロア１１の平面領域とその他の平面領域との境界線Ｌ（ＬＡ〜ＬＧ）の両端部に、基礎６から屋根（屋根パネル）５まで上下方向に壁パネル３ａ〜３ｊ及び屋切パネル４１〜４３から構成された控壁３０Ａ〜３０Ｎ（３１Ａ〜３１Ｇ，３２Ａ〜３２Ｇ）が、この境界線Ｌ（ＬＡ〜ＬＧ）とほぼ直交するように配置されている。
【００２０】
控壁３０Ａ〜３０Ｎは、図４に示すように、幅が１Ｍの壁パネル３ａ〜３ｄ，３ｉ、及び、幅が０．５Ｍの壁パネル３ｅ〜３ｈ，３ｊと、屋切パネル４１〜４３を組み合わせて構成されている。
建物１Ａ〜１Ｃにおいては、図１、図４（ａ１）、（ａ２）、（ａ４）、（ｂ１）、（ｃ１）、（ｃ３）、図５〜図１１に示すように、境界線Ｌ（ＬＡ〜ＬＧ）とほぼ直交するように配置された控壁３０Ａ，３０Ｂ，３０Ｇ，３０Ｊ（３１Ａ〜３１Ｇ，３２Ａ〜３２Ｇ，３３Ｂ）がこの境界線Ｌ（ＬＡ〜ＬＧ）の片側に位置するように配置されているか、又は、図２、図４（ａ３）、（ａ５）、（ａ６）、（ｂ２）、（ｂ３）、（ｃ２）、（ｃ４）、（ｃ５）に示すように、境界線Ｌとほぼ直交するように配置された控壁３０Ｃ〜３０Ｆ，３０Ｈ，３０Ｉ，３０Ｋ〜３０Ｎがこの境界線Ｌを跨いで両側に位置するように配置されている。
このように、控壁３０Ａ〜３０Ｎは、境界線Ｌの片側に接するように１Ｍ以上の幅で、又は、境界線Ｌを跨いで両側にそれぞれ０．５Ｍ以上の幅で設けられている。
【００２１】
また、建物１Ａ〜１Ｃには、図２、図３、図５、図６、図８〜図１１に示すように、スキップフロア１１の平面領域とその他の平面領域との境界線Ｌ（ＬＡ，ＬＢ，ＬＤ〜ＬＧ）の両側に位置するスキップフロア１１及びその他の床１２の辺縁を支持するように、それぞれ幅が１Ｍ以上に形成された耐力壁２１Ａ，２１Ｂ，２１Ｄ〜２１Ｇ，２２Ｄ，２２Ｆ，２２Ｇ，２３Ｇ（２０Ａ，２０Ｂ）が配置されている。
【００２２】
建物全体が一つの屋根で覆われた建物１Ａにおいては、図３（ａ）に示すように、最上階の境界線Ｌ部分には耐力壁を設けなくても良く、二階の床１２より下方に耐力壁２０Ａが配置されている。
スキップフロア１１の平面領域が下屋形式の屋根で覆われ、その他の平面領域が通常の屋根で覆われた建物１Ｂ，１Ｃでは、図３（ｂ）に示すように、基礎から屋根（屋根パネル）まで上下方向に耐力壁２０Ｂが配置されている。
【００２３】
図５に示す例では、スキップフロア１１Ａの平面領域とその他の平面領域との境界線ＬＡ（Ｌ）の長さが１２Ｍ（強風地域にあっては９Ｍ）以下となっている。
一方、図６に示す例では、スキップフロア１１Ｂの平面領域とその他の平面領域との境界線ＬＢ（Ｌ）の長さが１２Ｍ（強風地域にあっては９Ｍ）を超える平面になっている。そして、境界線ＬＢ（Ｌ）の中間部に、控壁３３Ｂがこの境界線Ｌ（ＬＢ）とほぼ直交するように配置されている。
このように、開口部となるスキップフロア１１Ｂとその他の床１２Ｂとの間の境界線ＬＢ（Ｌ）の長さが１２Ｍ（強風地域にあっては９Ｍ）を超える場合には、境界線の中間部に６Ｍ（強風地域にあっては４．５Ｍ）以下の間隔で控壁３３Ｂを設けると、建物の耐力が十分にされて好ましい。
【００２４】
図７に示す例では、スキップフロア１１Ｃの平面領域とその他の平面領域との境界線ＬＣ（Ｌ）上に耐力壁２０Ａ，２０Ｂを配置する代わりに、境界線ＬＣ（Ｌ）の端部に、控壁３１Ｃ，３２Ｃと同様に基礎６から屋根パネル５まで上下方向に壁パネル３ａ〜３ｊ及び屋切パネル４１〜４３から構成された控壁３３Ｃを、この境界線ＬＣ（Ｌ）の延長線上に突出するように配置されている。この場合には、スキップフロア１１Ｃとその他の床１２Ｃとの間に十分な開口が確保される。
このように、境界線ＬＣ（Ｌ）の延長線上の控壁３３Ｃによって耐力壁２０Ａ，２０Ｂに代える場合には、開口部となるスキップフロア１１Ｃとその他の床１２Ｃとの間の境界線ＬＣ（Ｌ）の長さが４Ｍ以下であることを条件とすると、建物の耐力が十分に確保されて好ましい。
【００２５】
図８に示す例では、建物の隅角部にスキップフロア１１Ｄが配置され、スキップフロア１１Ｄの平面領域とその他の平面領域との境界線ＬＤ（Ｌ）がほぼＬ字形状となっている。そして、２本の境界線ＬＤ（Ｌ）上にそれぞれ耐力壁２１Ｄ（２０Ａ，２０Ｂ）が配置されている。
このように、建物の隅角部にスキップフロア１１Ｄが配置され、境界線ＬＤ（Ｌ）がＬ字形状となる場合には、２本の境界線ＬＤ（Ｌ）の長さがそれぞれ１２Ｍ（強風地域にあっては９Ｍ）以下になるようにすると、建物の耐力が十分に確保されて好ましい。
【００２６】
図９、図１０に示す例では、スキップフロア１１Ｅ（１１Ｆ）の平面領域とその他の平面領域とが、奥行きＣ１１Ｅ（Ｃ１１Ｆ）だけ鉤状に入り組み、境界線ＬＥ（ＬＦ）（Ｌ）がＳ字形状に屈曲している。
図９に示す例では、スキップフロア１１Ｅの幅Ｗ１１Ｅが１２Ｍ（強風地域にあっては９Ｍ）以下となっている。そして、３本の境界線ＬＥ（Ｌ）のうち、一端の境界線ＬＥ（Ｌ）上に耐力壁２１Ｅ（２０Ａ，２０Ｂ）が配置されている。一方、図１０に示す例では、スキップフロア１１Ｆの幅Ｗ１１Ｆが１２Ｍ（強風地域にあっては９Ｍ）を超える平面になっている。そして、３本の境界線ＬＥ（Ｌ）のうち、一端及び中間の境界線ＬＥ（Ｌ）上にそれぞれ耐力壁２１Ｆ，２２Ｆ（２０Ａ，２０Ｂ）が配置されている。
このように、スキップフロア１１Ｅ（１１Ｆ）の平面領域とその他の平面領域とが、奥行きＣ１１Ｅ（Ｃ１１Ｆ）だけ鉤状に入り組んでいる場合に、その入組み部の奥行きＣ１１Ｅ（Ｃ１１Ｆ）が２Ｍ以下であれば、図５及び図６に示した例のように境界線が直線である場合とほぼ同様に耐力壁及び控壁の配置を行うことによって、建物の耐力を十分に確保することができる。
【００２７】
図１１に示す例では、スキップフロア１１Ｇの平面領域とその他の平面領域とが、奥行きＣ１１Ｇだけ鉤状に入り組み、その入組み部の奥行きＣ１１Ｇが２Ｍを超える平面になっている。そして、境界線ＬＧ（Ｌ）がＳ字形状に屈曲している。
また、スキップフロア１１Ｇの幅Ｗ１１Ｇが１２Ｍ（強風地域にあっては９Ｍ）を超える平面になっている。そして、３本の境界線ＬＥ（Ｌ）にそれぞれ耐力壁２１Ｇ〜２３Ｇ（２０Ａ，２０Ｂ）が配置されている。
このように、スキップフロア１１Ｇの平面領域とその他の平面領域とが、奥行きＣ１１Ｇだけ鉤状に入り組んでいる場合に、その入組み部の奥行きＣ１１Ｇが１２Ｍ以下であることを条件とすると、建物の耐力が十分に確保されて好ましい。
【００２８】
以上、本実施の形態に記載の建物１Ａ〜１Ｃによれば、境界線Ｌ（ＬＡ，ＬＢ，ＬＤ〜ＬＧ）上に、スキップフロア１１及びその他の床１２の辺縁を支持するように、耐力壁２０Ａ，２０Ｂ（２１Ａ，２１Ｂ，２１Ｄ〜２１Ｇ，２２Ｄ，２２Ｆ，２２Ｇ，２３Ｇ）が配置されていると共に、境界線Ｌ（ＬＡ，ＬＢ，ＬＤ〜ＬＧ）の両端部に、基礎６から屋根（屋根パネル）５まで上下方向に控壁３０Ａ〜３０Ｎ（３１Ａ，３１Ｂ，３１Ｄ〜３１Ｇ，３２Ａ，３２Ｂ，３２Ｄ〜３２Ｇ）がこの境界線Ｌ（ＬＡ，ＬＢ，ＬＤ〜ＬＧ）とほぼ直交するように配置されているので、地震時や強風時に生じるスキップフロア１１とその他の床１２との間の二方向の水平動が、控壁３０Ａ〜３０Ｎ（３１Ａ，３１Ｂ，３１Ｄ〜３１Ｇ，３２Ａ，３２Ｂ，３２Ｄ〜３２Ｇ）及び耐力壁２０Ａ，２０Ｂ（２１Ａ，２１Ｂ，２１Ｄ〜２１Ｇ，２２Ｄ，２２Ｆ，２２Ｇ，２３Ｇ）によって抑制される。つまり、境界線Ｌ（ＬＡ，ＬＢ，ＬＤ〜ＬＧ）上において、スキップフロア１１とその他の床１２とをそれぞれ支持するように壁パネルを二重に重ねて配置せずに、一重の壁パネルでスキップフロア１１及びその他の床１２の双方を支持させて、控壁３０Ａ〜３０Ｎ（３１Ａ，３１Ｂ，３１Ｄ〜３１Ｇ，３２Ａ，３２Ｂ，３２Ｄ〜３２Ｇ）及び耐力壁２０Ａ，２０Ｂ（２１Ａ，２１Ｂ，２１Ｄ〜２１Ｇ，２２Ｄ，２２Ｆ，２２Ｇ，２３Ｇ）により、スキップフロア１１とその他の床１２との間に必要なせん断強度・剛性が十分に確保される。
これにより、境界線上で壁パネルを二重に配置する場合のように壁パネルの芯のズレが発生せず、基礎の形状を特殊なものとする必要も無くなる。したがって、基準寸法（モジュール）に則って生産された規格品の壁パネルを利用して建物の設計を比較的自由に行うことができ、建物の構築に要する費用を小さく抑えることができる。
【００２９】
また、境界線Ｌ（ＬＣ）の両端部に、基礎６から屋根（屋根パネル）５まで上下方向に控壁３０Ａ〜３０Ｎ（３１Ｃ，３２Ｃ）がこの境界線Ｌ（ＬＣ）とほぼ直交するように配置されていると共に、境界線Ｌ（ＬＣ）の少なくとも一方の端部に、控壁３３Ｃがこの境界線Ｌ（ＬＣ）の延長線上に突出するように配置されているので、地震時や強風時に生じるスキップフロア１１とその他の床１２との間の二方向の水平動が、控壁３０Ａ〜３０Ｎ（３１Ｃ，３２Ｃ）及び３３Ｃによって抑制される。
つまり、境界線Ｌ（ＬＣ）上において、スキップフロア１１とその他の床１２とをそれぞれ支持するように壁パネルを二重に重ねて配置せずに、一重の壁パネルでスキップフロア１１及びその他の床１２の双方を支持させて、控壁３０Ａ〜３０Ｎ（３１Ｃ，３２Ｃ）及び３３Ｃにより、スキップフロア１１とその他の床１２との間に必要なせん断強度・剛性が十分に確保される。
これにより、境界線上で壁パネルを二重に配置する場合のように壁パネルの芯のズレが発生せず、基礎の形状を特殊なものとする必要も無くなる。したがって、基準寸法（モジュール）に則って生産された規格品の壁パネルを利用して建物の設計を比較的自由に行うことができ、建物の構築に要する費用を小さく抑えることができる。
【００３０】
また、境界線Ｌ（ＬＢ）の中間部に、控壁３３Ｂがこの境界線Ｌ（ＬＢ）とほぼ直交するように配置されているので、境界線Ｌ（ＬＢ）の長さが長い場合であっても、地震時や強風時に生じるスキップフロア１１とその他の床１２との間の二方向の水平動が、控壁３０Ａ〜３０Ｎ（３１Ｂ〜３３Ｂ）によって確実に抑制される。
【００３１】
また、境界線Ｌ（ＬＡ〜ＬＧ）とほぼ直交するように配置された控壁３０Ａ，３０Ｂ，３０Ｇ，３０Ｊ（３１Ａ〜３１Ｇ，３２Ａ〜３２Ｇ，３３Ｂ）は、この境界線Ｌ（ＬＡ〜ＬＧ）の片側に位置するように配置されているので、この控壁３０Ａ，３０Ｂ，３０Ｇ，３０Ｊ（３１Ａ〜３１Ｇ，３２Ａ〜３２Ｇ，３３Ｂ）の境界線Ｌ（ＬＡ〜ＬＧ）を挟んだ反対側においては、控壁３０Ａ，３０Ｂ，３０Ｇ，３０Ｊ（３１Ａ〜３１Ｇ，３２Ａ〜３２Ｇ，３３Ｂ）の位置の影響を受けずにプランニングを行うことができる。
【００３２】
また、境界線Ｌとほぼ直交するように配置された控壁３０Ｃ〜３０Ｆ，３０Ｈ，３０Ｉ，３０Ｋ〜３０Ｎ（３１Ａ〜３１Ｇ，３２Ａ〜３２Ｇ，３３Ｂ）は、この境界線Ｌ（ＬＡ〜ＬＧ）を跨いで両側に位置するように配置されているので、境界線Ｌ（ＬＡ〜ＬＧ）の両側に位置するスキップフロア１１とその他の床１２との双方側に控壁３０Ｃ〜３０Ｆ，３０Ｈ，３０Ｉ，３０Ｋ〜３０Ｎ（３１Ａ〜３１Ｇ，３２Ａ〜３２Ｇ，３３Ｂ）が配置され、建物１Ａ〜１Ｃのスキップフロア１１側とその他の床１２側の強度・剛性の差を小さくし偏心の少ない建物とすることができる。
【００３３】
なお、本発明は、上記の実施の形態に限定されることなく、本発明の趣旨を逸脱しない範囲において、種々の改良並びに設計の変更を行っても良い。
また、具体的な細部構造等についても適宜に変更可能であることはもちろんである。
【００３４】
【発明の効果】
請求項１記載の発明によれば、境界線上に、スキップフロア及びその他の床の辺縁を支持するように、耐力壁が配置されていると共に、境界線の両端部に、基礎から屋根まで上下方向に控壁がこの境界線とほぼ直交するように配置されているので、地震時や強風時に生じるスキップフロアとその他の床との間の二方向の水平動が、控壁及び耐力壁によって抑制される。
つまり、境界線上において、スキップフロアとその他の床とをそれぞれ支持するように壁パネルを二重に重ねて配置せずに、一重の壁パネルでスキップフロア及びその他の床の双方を支持させて、控壁及び耐力壁により、スキップフロアとその他の床との間に必要なせん断強度・剛性が十分に確保される。
これにより、境界線上で壁パネルを二重に配置する場合のように壁パネルの芯のズレが発生せず、基礎の形状を特殊なものとする必要も無くなる。したがって、基準寸法（モジュール）に則って生産された規格品の壁パネルを利用して建物の設計を比較的自由に行うことができ、建物の構築に要する費用を小さく抑えることができる。
【００３５】
請求項２記載の発明によれば、境界線の両端部に、基礎から屋根まで上下方向に控壁がこの境界線とほぼ直交するように配置されていると共に、境界線の少なくとも一方の端部に、控壁がこの境界線の延長線上に突出するように配置されているので、地震時や強風時に生じるスキップフロアとその他の床との間の二方向の水平動が、控壁によって抑制される。
つまり、境界線上において、スキップフロアとその他の床とをそれぞれ支持するように壁パネルを二重に重ねて配置せずに、一重の壁パネルでスキップフロア及びその他の床の双方を支持させて、控壁により、スキップフロアとその他の床との間に必要なせん断強度・剛性が十分に確保される。
これにより、境界線上で壁パネルを二重に配置する場合のように壁パネルの芯のズレが発生せず、基礎の形状を特殊なものとする必要も無くなる。したがって、基準寸法（モジュール）に則って生産された規格品の壁パネルを利用して建物の設計を比較的自由に行うことができ、建物の構築に要する費用を小さく抑えることができる。
【００３６】
請求項３記載の発明によれば、請求項１又は２に記載の発明と同様の効果が得られると共に、境界線の中間部に、控壁がこの境界線とほぼ直交するように配置されているので、境界線の長さが長い場合であっても、地震時や強風時に生じるスキップフロアとその他の床との間の二方向の水平動が、控壁によって確実に抑制される。
【００３７】
請求項４記載の発明によれば、請求項１〜３のいずれか一項に記載の発明と同様の効果が得られると共に、境界線とほぼ直交するように配置された控壁は、この境界線の片側に位置するように配置されているので、この控壁の境界線を挟んだ反対側においては、控壁の位置の影響を受けずにプランニングを行うことができる。
【００３８】
請求項５記載の発明によれば、請求項１〜４のいずれか一項に記載の発明と同様の効果が得られると共に、境界線とほぼ直交するように配置された控壁は、この境界線を跨いで両側に位置するように配置されているので、境界線の両側に位置するスキップフロアとその他の床との双方側に控壁が配置され、建物のスキップフロア側とその他の床側の強度・剛性の差を小さくし偏心の少ない建物とすることができる。
【図面の簡単な説明】
【図１】本発明に係る建物の一例を示す断面透視図である。
【図２】本発明に係る建物の他の一例を示す断面図である。
【図３】本発明に係る建物の概略を示す模式図である。
【図４】本発明に係る建物の概略を示す模式図である。
【図５】本発明に係る建物の平面の一例を示す模式図である。
【図６】本発明に係る建物の平面の他の一例を示す模式図である。
【図７】本発明に係る建物の平面のさらに他の一例を示す模式図である。
【図８】本発明に係る建物の平面のさらに他の一例を示す模式図である。
【図９】本発明に係る建物の平面のさらに他の一例を示す模式図である。
【図１０】本発明に係る建物の平面のさらに他の一例を示す模式図である。
【図１１】本発明に係る建物の平面のさらに他の一例を示す模式図である。
【図１２】従来の建物の他の一例を示す断面図である。
【符号の説明】
１Ａ〜１Ｃ……建物
１１……スキップフロア（床パネル）
１２……その他の床（床パネル）
１３，１４……床パネル
２，２ａ〜２ｃ，３ａ〜３ｊ……壁パネル
２０Ａ，２０Ｂ（２１Ａ〜２１Ｇ，２２Ｄ，２２Ｆ，２２Ｇ，２３Ｇ）……耐力壁
３０Ａ〜３０Ｎ（３１Ａ〜３１Ｇ，３２Ａ〜３２Ｇ，３３Ｂ，３３Ｃ）……控壁
４１〜４３……壁パネル（屋切パネル）
５……屋根（屋根パネル）
６……基礎
Ｌ（ＬＡ〜ＬＧ）……境界線
【図１】
2004332440.tif 000003
【図２】
2004332440.tif 000004
【図３】
2004332440.tif 000005
【図４】
2004332440.tif 000006
【図５】
2004332440.tif 000007
【図６】
2004332440.tif 000008
【図７】
2004332440.tif 000009
【図８】
2004332440.tif 000010
【図９】
2004332440.tif 000011
【図１０】
2004332440.tif 000012
【図１１】
2004332440.tif 000013
【図１２】
2004332440.tif 000014